(57)【要約】      （修正有）【課題】育児や介護の現場で発生する大量の水分を含む尿、便の処理だけでなく、所定の場所以外で排出されるおう吐物の処理にも好適、かつその後の廃棄処分が容易な吸水性シートを提供する。【解決手段】透水性膜１、３０ｇ／１００平方ｃｍ以上の吸水能力（蒸留水）を有する吸収体２、非透水性膜３、カバーフィルム４の順序に積層された吸水性シート１０であって、吸収体２は、透水性膜１と非透水性膜３の周縁部同士を接合して形成される袋１３の内部に非拘束状態で配されており、更に、非透水性膜３とカバーフィルム４は周縁部同士が接合され、かつカバーフィルム４がほぼ２等分するように切り離し又は切り離し可能に形成されていて、当該切り離し個所を開口部４１とする非透水性膜３とカバーフィルム４からなる袋４３が形成されていることを特徴とする。【選択図】図２
2018099498.tif 000002
【特許請求の範囲】
【請求項１】
透水性膜１、３０ｇ／１００ｃｍ２以上の吸水能力（蒸留水）を有する吸収体２、非透水性膜３、カバーフィルム４の順序に積層された吸水性シート１０であって、吸収体２は、透水性膜１と非透水性膜３の周縁部同士を接合して形成される袋１３の内部に非拘束状態で配されており、更に、非透水性膜３とカバーフィルム４は周縁部同士が接合され、かつカバーフィルム４がほぼ２等分するように切り離し又は切り離し可能に形成されていて、当該切り離し個所を開口部４１とする非透水性膜３とカバーフィルム４からなる袋４３が形成されていることを特徴とする吸水性シート１０。
【請求項２】
吸収体２が吸水性ポリマーを含有するシート状物であることを特徴とする請求項１記載の吸水性シート１０。
【請求項３】
透水性膜１が不織布であることを特徴とする請求項１又は２に記載の吸水性シート１０。
【発明の詳細な説明】
【技術分野】
【０００１】
本発明は、育児や介護の現場で発生する大量の水分を含む尿、便の処理だけでなく、所定の場所以外で排出されるおう吐物の処理にも好適で、かつその後の廃棄処分が容易な吸水性シートに関するものである。
【背景技術】
【０００２】
従来から、尿、便、おう吐物などの汚物の処理や、汚物による汚染の防止を目的として紙おむつをはじめ各種資材が提案されている。例えば、特許文献１には簡易トイレに装着して使用する、袋体の内部に吸収材を配した汚物処理袋が提案されている。
【０００３】
一方、おう吐物の場合は、多量の水分を含んでいること、Ｏ−１５７やノロウィルスなどを含んでいる可能性もあることもあり、また、予期しない場所に排泄されることから、例えば、手袋、マスクを着用して、吸水剤、殺菌剤及び防臭剤を含有する嘔吐物処理剤（特許文献２）等を散布しておう吐物を脱水固化させ、固化したおう吐物を箒で掃きとって廃棄する方法が提案されている。
【０００４】
また、特許文献３には、液透過性の表面シートと、液吸収性の吸収体と、液不透過性の裏面シートを積層させた使い捨ての介護用シートが提案され、特許文献４には、シーツ本体の上にシート状おむつを配置した、おむつ交換時に敷布団やマットレス、掛け布団、衣服（パジャマのズボンなど）が汚れるのを防止できおむつ交換を容易化する医療又は介護用シーツが提案されている。
【０００５】
更に、手を汚さずに糞便を掴んで袋に入れる機能を解決すべき課題としたペットの糞便の処理材として、特許文献５には、左右一対の指挿入部を形成したシート状物を二つ折りして、これらの指挿入袋部の開口端を上向きにした状態で親指とその他の指とをこれらの指挿入袋部に差し込んで開閉することにより排泄物を掴持したのち、上記被覆片をその上端縁から折り返して反転させることにより、排泄物を包み込むことができるペットの汚物処理具が、特許文献６には、袋の先端を水かきのついた手袋状とすることで、糞便を容易に掴むことができ、それを裏返すとそのまま袋に収納できる汚物処理用手袋が提案されている。
【先行技術文献】
【特許文献】
【０００６】
【特許文献１】特開２００５−３２３９３５号公報
【特許文献２】特開平６−１５４７９４号公報交換
【特許文献３】特開２００６−２４７１２０号公報
【特許文献４】特開２０１５−２２６５８３号公報
【特許文献５】特開２０１２−１３５２５２号公報
【特許文献６】特開２００９−１０２１５５号公報
【発明の概要】
【発明が解決しようとする課題】
【０００７】
しかしながら、上述した資材は、各々目的とする用途に適したものではあるが、目的外の用途に利用できるものではなく、また携帯性か、使用後の処分のいずれかに問題があるものが多かった。例えば、特許文献１の汚物処理袋は簡易トイレ或いはその代替物への使用には好適であるがそれ以外の用途への利用できないものであり、おう吐物を処理するためには特許文献２の嘔吐物処理剤に加えて、少なくとも手袋や箒などが必要であり、更にはせっかく固化させたおう吐物を処分するための袋も必要となるなど携帯性、使用後の処分に問題があるものであった。
【０００８】
また、特許文献３の介護用シートは広範囲に利用されており、特許文献４のような用途にも使用されているが、これらのシートは排尿による布団やマットレスの汚染を防ぐには好適ではあるが、尿を吸収した面がむき出しになるので、尿に触れないように廃棄処分することは困難であった。また、特許文献５、６のペットの糞便処理具は、手袋を別途必要とすることなく糞便を袋に入れて運搬処分できるという携帯性に優れたものであるが、水分の多い下痢便や尿等に適用できるものではなかった。
【０００９】
本発明は、上述した用途のいずれにも適用可能であり、しかも携帯性に優れ、尿、便、おう吐物などの処理物の処理に適し、処理後の運搬・廃棄用の袋を用意する必要もない吸水性シートを工業的に安価に適用することを目的とする。
【課題を解決するための手段】
【００１０】
本発明者は、鋭意検討した結果、透水性膜と非透水性膜とで形成される袋の内部に特定値以上の吸水能力を有する吸収体２を非拘束状態で配し、かつ反対面を非透水性膜とカバーフィルムからなり、該カバーフィルムをほぼ２等分する切り離し個所を開口部とする袋に形成した吸水性シートが、尿、便、おう吐物などの処理物の処理に適し、しかも処理後、開口部の個所で裏返すことによりそのまま処理物を入れた袋として使用できることを見いだし本発明にいたった。
【００１１】
すなわち、本発明によれば、上記課題を解決するための手段として、
［１］透水性膜１、３０ｇ／１００ｃｍ２以上の吸水能力（蒸留水）を有する吸収体２、非透水性膜３、カバーフィルム４の順序に積層された吸水性シート１０であって、吸収体２は、透水性膜１と非透水性膜３の周縁部同士を接合して形成される袋１３の内部に非拘束状態で配されており、更に、非透水性膜３とカバーフィルム４は周縁部同士が接合されて、該カバーフィルム４をほぼ２等分するように切り離し又は切り離し可能に形成され、当該切り離し個所を開口部４１とする非透水性膜３とカバーフィルム４からなる袋４３が形成されていることを特徴とする吸水性シート１０が提供され、
【００１２】
［２］吸収体２が吸水性ポリマーを含有するシート状物であることを特徴とする［１］記載の吸水性シート１０が提供され、
［３］透水性膜１が不織布であることを特徴とする［１］又は［２］に記載の吸水性シート１０が提供される。
【発明の効果】
【００１３】
本発明の吸水性シート１０は、特定値以上の吸水能力を有する吸収体２を使用し、しかも吸収体２が、透水性膜１と非透水性膜３とで形成される袋１３の内部に非拘束状態で配されているので、吸収体２の吸水能力を低下させることなく汚物から多量の水分を吸収して汚物を処理しやすい固形物とすることができる。さらに、本発明の吸水性シート１０は、非透水性膜３とカバーフィルム４とで形成され、カバーフィルム４を中央部付近で２分する位置に開口部４１を有する袋４３を有しているので、当該袋４３に手、指を入れて手袋代わりに汚物を処理することができるだけでなく、袋４３を開口部４１にて裏返しにすることで運搬、廃棄用の袋とすることができるという効果を有している。また、本発明の吸水性シート１０は、主に、透水性膜１、吸収体２、非透水性膜３、カバーフィルム４の積層工程だけで製造できるので、製造が容易であり、安価に提供できるという特徴も有している。
【図面の簡単な説明】
【００１４】
【図１】本発明の吸水性シート１０の平面図である。なお、周縁のハッチング部は接合部（熱シール部）を示すものである。
【図２】吸水性シート１０の層構成を説明するための、図１のＡＡ’線断面模式図である。
【図３】本発明の吸水性シート１０の透水性膜１側を上面にして、開口部４１を拡げて容器５に被せて使用する態様を示す斜視図である。
【図４】本発明の吸水性シート１０を開口部４１のところで裏返して、底面内側が透水性膜１、底面外側が非送水性膜２、側面がカバーフィルム４からなる、運搬廃棄用袋或いは汚物収容袋として利用する態様を示す斜視図である。
【発明を実施するための形態】
【００１５】
本発明の吸水性シート１０は、透水性膜１、３０ｇ／１００ｃｍ２以上の吸水能力（蒸留水）を有する吸収体２、非透水性膜３、カバーフィルム４の順序に積層されている。ここで、透水性膜１は、尿、便、おう吐物などの処理物中の水分を吸収体２まで通過させる機能と、吸収体２若しくは吸収体２の構成物が吸水性シート１０から脱落するのを防止する機能を有している。透水性膜１としては、上記機能を有するものであれば特に制限はないが、例えば、ポリエチレンやポリプロピレン等のポリオレフィン系、ポリエステル系、ポリアミド系の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工した不織布や、天然繊維や合成繊維からなる織布、或いはポリエチレンフィルム、ポリプロピレンフィルム、ナイロンフィルム、ポリエステルフィルム或いはこれらを適宜積層したラミネートフィルムに穴あけ加工を施した多孔フィルムやメッシュフィルムなどが好適に使用できる。本発明においては、これらの中でも安価で十分な強度と優れた透水性を有する不織布が好ましく使用される。特に、レーヨンやキュプラ等の再生繊維、綿等を素材として全部または一部使用した不織布や親水化処理を施した、親水性を有する不織布を使用するのが好ましい。
【００１６】
さて、本発明において吸収体２は、尿、便、おう吐物などの処理物中の水分を吸収することによって、処理物を処理しやすい固形若しくは半固形とするためのものであり、透水性膜１と非透水性膜３とで形成される袋１３の内部に非拘束状態で配されている。したがって、吸収体２は、シート状とすることが好ましい。そして、例えば、排尿の処理を目的とする場合は、５００ｇ（生理食塩水）程度の吸水量を必要とし、排便の処理の場合は、最も水分量の多い下痢便を想定して２００ｇ（生理食塩水）程度の吸水量を必要とするのに対して、単なる汚物入れに使用する場合ひ必要とする吸水量は、せいぜい１００ｇ（蒸留水）程度であるから、多種多様な用途で使用可能とするためには、少なくとも３００ｇ（生理食塩水）以上、好ましくは５００ｇ（生理食塩水）以上を吸水できる吸収体２を使用する必要がある。
【００１７】
吸収体２の吸水量（ｇ）は、
吸水量（ｇ）＝吸水能力（ｇ／１００ｃｍ２）×吸水体の面積（ｃｍ２）／１００
なる式で計算することができ、吸水量を大きくするためには吸収体２の吸水能力を大きくするか、或いは吸収体２の面積を大きくする必要があるが、吸収体２の面積は、吸水性シート１０の袋１３の大きさ以上にすることはできないから、吸水能力の大きい吸収体２を使用することが必要となる。また、吸水剤（特に、吸水性ポリマー）によっては、蒸留水に比べて生理食塩水に対する吸水能力が極端に低下する現象がみられるので、本発明の吸水性シート１０においては、３０ｇ／１００ｃｍ２以上の吸水能力（蒸留水）、好ましくは、５０ｇ／１００ｃｍ２以上の吸水能力（蒸留水）を有する吸収体２を使用する必要がある。逆に、吸水能力（蒸留水）が３０ｇ／１００ｃｍ２未満では、本発明の目的にかなった吸水性シート１０を提供することができないので好ましくない。
【００１８】
上述する吸水能力を本発明で使用する吸収体２に付与するためには、自身の重量の数百倍の吸水能力を有するとされる吸水性ポリマーを使用することが好ましく、例えば、吸水性ポリマーとパルプ等の吸水材を併用したものが特に好ましく使用される。吸水性ポリマーとしては、ポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられるが、本発明においては、吸水能力、吸水速度に優れるポリアクリル酸ナトリウムで代表されるアクリル酸塩系の吸水性ポリマーを使用するのが好ましい。また、パルプとしては、木材から得られる化学パルプ、溶融パルプ等のセルロース繊維や、レーヨン、アセテート等の人工セルロース繊維からなるものが挙げられる。また、吸収体２には必要に応じて、消臭剤、殺菌剤等を含有させることももちろん可能である。
【００１９】
非透水性膜３としては、透水性膜１上に残存する処理物や、透水性膜１を通過して吸収体２に吸収された尿、便、おう吐物などを非透水性膜３の裏側（カバーフィルム４側）に到達させない機能、すなわち、袋４３に手を入れて作業する際には手を汚染しないこと、処理後に開口部４１で裏返したときに廃棄処理される処理済みの汚物の収納袋として使用できること、を十分果たすものであれば特に制限はなく、包装材として使用されるポリエチレンフィルム、ポリプロピレンフィルムなどの合成樹脂フィルムが好ましく使用される。
【００２０】
カバーフィルム４としては、非透水性膜３と同様に包装材として使用されるポリエチレンフィルム、ポリプロピレンフィルムなどの合成樹脂フィルムが好ましく使用される。
【００２１】
さて、本発明の吸水性シート１０において、吸収体２は、透水性膜１と非透水性膜３の周縁部同士を接合して形成される袋１３の内部に非拘束状態で配された構造となっている。このような構造とすることによって、吸収体２は、透水性膜１や非透水性膜３に拘束されることなく吸水して三次元方向に自在に膨張することができ、その結果、貼り合わせ等により拘束した場合のように、本来有している吸水能力を制限することなく、能力通りの水分を吸収することが可能となるのである。なお、透水性膜１と非透水性膜３の接合はプラスチック袋の製造において常用される熱シールによるのが一般的であるが、熱シール特性に乏しい材質の場合はホットメルト接着剤などの接着剤を使用して接合することももちろん可能である。
【００２２】
また、カバーフィルム４は、透水性膜１や吸収体２とは反対側の面の非透水性膜３と全周に渡って周縁部で接合されている。そして、カバーフィルム４はほぼ２等分するように切り離し又は切り離し可能に形成され、当該切り離し個所を開口部４１とする非透水性膜３とカバーフィルム４からなる袋４３が形成されている。これによって、汚物の処理作業時には手袋の代わりに当該袋状部４３に手を挿入して作業することができる。ここで切り離し可能というのは、例えば、ミシン目などを設けておいて処理作業直前にこのミシン目部分を切り離すことができるということを意味している。なお、本発明においては、例えば、二つ折りしたフィルムや折りたたんだチューブ状フィルムの一方の面が非透水性膜３、もう一方の面がカバーフィルム４となるように、そのまま、透水性膜１と接合すれば、一度の積層工程で本発明の吸水性シート１０を製造することができるので好ましい。
【００２３】
本発明の吸水性シート１０は、例えば、以下のように使用される。
［簡易便器としての利用］
（１）差込便器又は簡易便器或いはその代用品となるような容器５を用意する。
（２）本発明の吸水性シート１０の開口部４１のところで拡げて、拡げたカバーフィルム４を容器５に被せる。
（３）上面にある透水性膜１の面を容器に押し込んで窪みをつくる（図３参照）。
（４）窪みの部分に排尿、排便する。
（５）その際に汚れたティッシュ等があれば窪みの部分に捨てる。
（６）被せたカバーフィルム４を開口部４１から裏返して非透水性膜３とカバーフィルム４を外面とする袋（図４参照）として汚物を処分する。
【００２４】
［おう吐物の処理への利用］
（１）おう吐物の上に、透水性膜１面が接するように本発明の吸水性シート１０を被せて覆う。
（２）吸水性シート１０の吸収体２がおう吐物の液状部分を十分に吸い取ったのち、袋４３に手を入れ、手が汚染されないようにして（より安全に処理するためにマスクをし、手袋を着用することも勿論可能である）、水分が吸収されて固化した汚物をつかむ。
（３）開口部４１のところで袋４３を裏返しにして非透水性膜３とカバーフィルム４を外面とする袋（図４参照）として運搬後処分する。
【００２５】
［介護シートとしての利用］
（１）透水膜１面を上にして被介護者の腰の下に敷く。
（２）失禁等で漏れた尿は、本発明の吸水性シート１０の吸収体２が吸い取る。
（３）被介護者の臀部等を清浄綿やお尻ふきで清潔にし、使用後はそれらをそのまま透水性膜１の上に置いておく。
（４）開口部４１で袋４３を裏返して袋を形成（使用した清浄綿やお尻ふきは袋の内側にくる。）し、運搬後処分する。
【００２６】
［汚物入れ、簡易便器としての利用］
（１）本発明の吸水性シート１０を予め開口部４１で裏返しにして袋（図４参照）を形成する。
（２）必要があれば、ゴミ箱等や簡易便器用の容器の内側に上記袋を入れる。
（３）水分を大量に含んだ汚物或いは排泄物をそのまま上記袋に投入する。
（４）そのまま運搬し処分する。
【実施例】
【００２７】
［製造例１］
ティッシュペーパー上に、粉砕木材パルプ（目付：１００ｇ／ｍ２）と吸水性ポリマー（ポリアクリル酸ナトリウムの部分架橋物、目付：３０ｇ／ｍ２）とを積繊し、次いで上部をティッシュペーパーで被覆した後、上面がエンボス模様であるプレス盤を用いてプレスしてシート状の吸収体２を製造した。この吸収体２の吸水能力（蒸留水）は、下記の方法で測定したところ６８ｇ／１００ｃｍ２であった。
【００２８】
［製造例２］
ティッシュペーパー上に、粉砕木材パルプ（目付：１００ｇ／ｍ２）と吸水性ポリマー（ポリアクリル酸ナトリウムの部分架橋物、目付４０ｇ／ｍ２）とを積繊し、次いで上部をティッシュペーパーで被覆した後、上面がエンボス模様であるプレス盤を用いてプレスしてシート状の吸収体２を製造した。このシート状吸収体の１００ｃｍ２当たりの吸水能力（蒸留水）は下記の方法で測定したところ８４ｇ／１００ｃｍ２であった。
【００２９】
吸水能力（蒸留水）の測定方法
不織布製の袋に、１００ｍｍ×１００ｍｍ角のシート状の吸収体２を入れて蒸留水（室温）に１０分間浸漬する。次いで、それを引き上げて１０分間吊り下げて水切りを行い、吸水後の吸収体２と不織布製袋の合計重量Ｗｔ（ｇ）を測定した。同様に、不織布製の袋のみを蒸留水（室温）に１０分間浸漬した後、引き上げて１０分間吊り下げて水切りを行い、吸水後の不織布製の袋の重量Ｗｂ（ｇ）を測定した。吸水能力（蒸留水）Ｗ（ｇ／１００ｃｍ２）は以下の計算によって求めた。
Ｗ：吸収体の吸水能力（蒸留水）  （ｇ／１００ｃｍ２）
Ｗｔ：吸水後の吸収体と不織布製袋の合計重量（ｇ）
Ｗｂ：吸水後の不織布製の袋の重量（ｇ）
Ｗ＝Ｗｔ−Ｗｂ
【００３０】
［実施例１］
吸収体２として製造例１で製造した吸収体（寸法：横３３０×縦３００ｍｍ）を使用した。また、透水性膜１として、不織布（目付１８ｇ／ｍ２、レーヨン、ポリエチレン、ポリプロピレン混紡）を用い、非透水性膜３とカバーフィルム４はポリエチレンチューブ（厚み２０μｍ、）の上面側のほぼ中央を機械方向に切断したものを使用した。次いで、透水性膜１とポリエチレンチューブの下面との間に吸収体２を配した後、全周に渡って周縁部を熱シールして袋１３の内部に非拘束状態で吸収体２が配された、横幅３６５ｍｍ、縦幅３３５ｍｍの本発明の吸水性シート１０を得た。
本発明の吸水性シート１０をおう吐物の上に被せたところ短時間で液状部分を吸収したので、袋４３に手を入れておう吐物を掴み、そのまま開口部４１で袋４３を裏返して汚物を収納し、特に、手袋や箒、ちり取りを使用することなくおう吐物を容易に処理、廃棄するこができた。
【００３１】
［実施例２］
吸収体２として製造例２で製造した吸収体（寸法：横３００×縦４２０ｍｍ）を使用した。また、透水性膜１として、不織布（目付１６ｇ／ｍ２、ポリエチレン、ポリプロピレン、レーヨン（サーマルボンド法））を用い、非透水性膜３とカバーフィルム４は青色半透明のポリエチレンチューブ（折径５７０ｍｍ、厚み２０μｍ）の上面側のほぼ中央が機械方向に切断され、扁平に折り畳まれたものを使用した。次いで、透水性膜１とポリエチレンチューブの下面との間に吸収体２を配した後、全周に渡って周縁部を熱シールして袋１３の内部に非拘束状態で吸収体２が配された、横幅４７０ｍｍ、縦幅５７０ｍｍの本発明の吸水性シート１０を得た。
本発明の吸水性シート１０の開口部４１を拡げ、上面が透水性膜１となるように袋４３を差込便器に被せ、透水性膜１の面を押さえが差込便器の凹部に沿うようにして寝たきりの被介護者に差込便器を使用して排泄に供した。排泄終了後に、お尻ふき等を用いて被介護者を清浄にし、使用後は排泄物と一緒に差込便器の凹部、透水性膜１面に廃棄し、開口部４１で袋４３を裏返したところ、排泄物、使用後のお尻ふきなどを含む汚物を容易に収納でき、そのまま手を汚すことなく廃棄することができた。
【産業上の利用可能性】
【００３２】
本発明の吸水性シート１０は、十分な吸水能力を有しているので、簡易便器、おう吐物処理や介護シート、汚物入れなど排泄物や汚物に関する様々な場面で使用することができるという特徴を有している。したがって、医療機関や介護・保健施設はもちろんのこと一般家庭においても本発明の吸水シート１０一つであらゆる場合に対処できるので常備品として好適であるばかりでなく、運搬性、携行性に優れているので外出、ドライブの際に携行することもできる。また、本発明の吸水性シート１０は、従来の処理材に比べて製造が簡単で、安価に提供することができるという利点を有している。
【符号の説明】
【００３３】
１          透水性膜
２          吸収体
１３        透水性膜と非透水性性膜とから形成される袋
３          非透水性膜
４          カバーフィルム
４１        開口部
４３        袋
５          容器
１０        本発明の吸水性シート
【図１】
2018099498.tif 000003
【図２】
2018099498.tif 000004
【図３】
2018099498.tif 000005
【図４】
2018099498.tif 000006